(57)【特許請求の範囲】
【請求項１】
ハウジングと該ハウジングに支持される一対の鋸車とを有し、該一対の鋸車に帯鋸を掛けて該帯鋸を周回させることにより切断材を切断する帯鋸切断機であって、
前記一対の鋸車を覆うカバーが、ヒンジを介して前記ハウジングに開け閉め可能に支持されており、
前記カバーの閉位置を保持する係止機構が、前記帯鋸の周回範囲より内側に設定されており、
前記係止機構は、前記ハウジングに設けられた対向テーパ面と、前記カバーに設けられたガイドテーパ面を有しており、
前記係止機構は、前記カバーを開位置から閉位置へ移動させた時に前記対向テーパ面と前記ガイドテーパ面が当接し、前記カバーが閉位置になった時に前記カバーを自動的に係止させる、帯鋸切断機。
【請求項２】
ハウジングと該ハウジングに支持される一対の鋸車とを有し、該一対の鋸車に帯鋸を掛けて該帯鋸を周回させることにより切断材を切断する帯鋸切断機であって、
前記一対の鋸車を覆うカバーが、ヒンジを介して前記ハウジングに開け閉め可能に支持されており、
前記ハウジングは、前記一対の鋸車のうち一の鋸車を支持する前ハウジング部と、前記一対の鋸車のうち他の鋸車を支持する後ハウジング部で構成されており、
前記カバーの閉位置を保持する係止機構が、前記帯鋸の周回範囲より内側に設定され、かつ前記前ハウジング部と前記後ハウジング部にそれぞれ配置されており、
前記係止機構は、前記ハウジング側の一の係止部と前記カバー側の他の係止部で構成され、前記一の係止部と前記他の係止部が相互に係止することで前記カバーの閉位置を保持することができ、
前記一の係止部と前記他の係止部の係止状態を解除操作する方向は、前記帯鋸のテンションが前記前ハウジング部と前記後ハウジング部を互いに引き合わせる方向と反対方向である、帯鋸切断機。
【請求項３】
請求項２に記載の帯鋸切断機において、
前記係止機構は、前記カバーを開位置から閉位置へ移動させ、該カバーが閉位置になった時に、該カバーを自動的に係止させる、帯鋸切断機。
【請求項４】
請求項１から請求項３のいずれか１項に記載した帯鋸切断機において、
前記係止機構は、前記カバーの閉位置の保持を解除する解除操作部が、該カバー側に係止される係止部自体に設けられている、帯鋸切断機。
【発明の詳細な説明】
【技術分野】
【０００１】
本発明は、無端帯状の帯鋸を周回させて切断材を切断する帯鋸切断機（バンドソー）に関する。
【背景技術】
【０００２】
従来、無端帯状の帯鋸を周回させることにより切断材を切断する帯鋸切断機（バンドソー）が知られている。このバンドソーには、ポータブルバンドソーや、定置式のバンドソーが知られている。このような帯鋸切断機にあっては、本体ハウジングに回転可能に支持される一対の鋸車が設けられている。この一対の鋸車には、無端帯状の帯鋸が掛けられている。掛けられた無端帯状の帯鋸は、一対の鋸車の回転により周回される。周回する帯鋸は、一対の鋸車同士の間で設定される切断部位にて切断可能に露出される。この切断部位にて露出される帯鋸は切断材を切断する。
【先行技術文献】
【特許文献】
【０００３】
【特許文献１】特開２０１４−８７８７６号公報
【特許文献２】米国特許第８６７７６３３号明細書
【発明の概要】
【発明が解決しようとする課題】
【０００４】
上記の帯鋸切断機にあっては、一対の鋸車を覆うようにするカバーが本体ハウジングに取り付けられているものがある。カバーは、切断機として使用する時には閉められるようにし、帯鋸を交換する時などには開けられるようにしておきたい。このため、カバーは、本体ハウジングに対して開け閉め可能にヒンジ結合されている。このヒンジ結合は、周回する帯鋸の外側に設定されていた。このヒンジ結合箇所は、一般に切断部位とは反対側に設けられている。これに対して、カバーの閉め状態を係止するための係止フックは、ヒンジ結合の反対側である切断部位の設定側に設けられている。このように係止フックが切断部位の設定側に設けられていると、係止フックが切断作業の邪魔になることもあり、切断時の作業性が損ねられているという指摘がある。
【０００５】
本発明は、このような事情に鑑みなされたものであって、本発明が解決しようとする課題は、無端帯状の帯鋸を周回させることにより切断材を切断する帯鋸切断機において、切断時の作業性が損ねられることなく、ヒンジ結合されるカバーの閉め状態を保持する係止機構を設けることにある。
【課題を解決するための手段】
【０００６】
上記した課題を解決するにあたって、本発明に係る帯鋸切断機は次の手段をとる。すなわち、本発明の第１の発明に係る帯鋸切断機は、ハウジングと該ハウジングに支持される一対の鋸車とを有し、該一対の鋸車に帯鋸を掛けて該帯鋸を周回させることにより切断材を切断する帯鋸切断機であって、前記一対の鋸車を覆うカバーが、ヒンジを介して前記ハウジングに開け閉め可能に支持されており、前記カバーの閉位置を保持する係止機構が、前記帯鋸の周回範囲より内側に設定されている、という構成である。
【０００７】
この第１の発明に係る帯鋸切断機によれば、カバーの閉位置を保持する係止機構が帯鋸の周回範囲より内側に設定されているので、帯鋸の周回範囲の外側には係止機構が存することが無くなる。これによって、帯鋸の周回範囲の外側の嵩張りを無くすことができながら係止機構を設けることができる。つまり、切断時の作業性が損ねられることなく、ヒンジ結合されるカバーの閉め状態を保持する係止機構を設けることができる。
【０００８】
第２の発明に係る帯鋸切断機は、前記第１の発明に係る帯鋸切断機において、前記係止機構は、前記カバーを開位置から閉位置へ移動させ、該カバーが閉位置になった時に、該カバーに自動的に係止される、という構成である。この第２の発明に係る帯鋸切断機によれば、係止機構はカバーを開位置から閉位置へ移動させてカバーが閉位置になった時にカバーに自動的に係止されるので、カバーを閉めるだけでカバーの閉位置を保持することができるようになる。これによって、カバーの閉位置を保持するための係止操作を行うことなく、自動的にカバーの閉位置を保持することができて、閉位置を保持の操作性に優れたものとなる。
【０００９】
第３の発明に係る帯鋸切断機は、前記第１または前記第２の発明に係る帯鋸切断機において、前記係止機構は、前記カバーの閉位置の保持を解除する解除操作部が、該カバー側に係止される係止部自体に設けられている、という構成である。この第３の発明に係る帯鋸切断機によれば、カバーの閉位置の保持を解除する解除操作部がカバー側に係止される係止部自体に設けられているので、部品点数を増やすことなく解除操作部が設けられる。これによって、係止機構の嵩張りを抑えることができ、作業性に優れた帯鋸切断機とすることができる。
【図面の簡単な説明】
【００１０】
【図１】帯鋸切断機の全体正面図である。
【図２】図１における(II)矢視を示す全体平面図である。
【図３】図１における(III)矢視の全体平面図である。
【図４】閉め状態のカバーを正面視する全体平面図である。
【図５】開け状態のカバーを正面視する全体平面図である。
【図６】角度を変えて閉め状態のカバーを斜視する全体斜視図である。
【図７】図４における(VII)-(VII)断面矢視を拡大して示す全体断面図である。
【発明を実施するための形態】
【００１１】
本発明の実施の形態について図１〜図７を参照しながら説明する。図１は、帯鋸切断機１０の全体正面図である。図２は、図１における(II)矢視を示す全体平面図である。図３は、図１における(III)矢視の全体平面図である。図４は、閉め状態のカバー５０を正面視する全体平面図である。図５は、開け状態のカバー５０を正面視する全体平面図である。図６は、角度を変えて閉め状態のカバー５０を斜視する全体斜視図である。図７は、図４における(VII)-(VII)断面矢視を拡大して示す全体断面図である。なお、この種の帯鋸切断機１０は、図１における図示左側を前側と称し、図示右側を後側と称するのが慣例である。このため、以下の説明でも特に断らない限り、この慣例にしたがい前後の方向を用いている。
【００１２】
図示するように、帯鋸切断機１０は充電式のポータブルバンドソーと称される持ち運び形のバンドソーである。帯鋸切断機１０は、電動モータ１１を駆動源として回転する前後一対の鋸車１３，１４と、この前後の鋸車１３，１４を収容する鋸車ハウジング２０と、この前後の鋸車１３，１４間に掛け渡された無端形の帯鋸１５とを有している。鋸車ハウジング２０は、前側の鋸車１３を収容支持する前ハウジング部２１と、後側の鋸車１４を収容支持する後ハウジング部２２とを有している。電動モータ１１は、後ハウジング部２２の上面に取り付けられている。このため、後側の鋸車１４が電動モータ１１により直接回転する駆動輪として機能し、前側の鋸車１３が従動輪として機能する。
【００１３】
駆動輪としての後側の鋸車１４と従動輪としての前側の鋸車１３との間に、板厚方向に可撓性を有する一定幅の帯鋸１５が掛け渡されている。また、前ハウジング部２１の上面には、テンションレバー２５が配置されている。このテンションレバー２５を一定角度範囲で回動操作することにより、前側の鋸車１３を前後方向に移動させて後側の鋸車１４との相対的な間隔を調整することができる。これにより、両鋸車１３，１４間に掛け渡された帯鋸１５のテンションを調整することができ、両鋸車１３，１４に対する帯鋸１５を脱着も可能となっている。
【００１４】
前ハウジング部２１と後ハウジング部２２は、その上部間で結合ハウジング部２３を介して相互に結合されている。結合ハウジング部２３の下方であって、前後のハウジング部２１，２２間には平面的に見て概ね矩形の開口部３０が設けられている。この開口部３０の前側には第１案内部材３１が取り付けられており、開口部３０の後側には第２案内部材３２が取り付けられている。この開口部３０において帯鋸１５が露出されている。駆動輪としての後側の鋸車１４は、図１において反時計回り（左回り）に回転する。このため、帯鋸１５は反時計回り方向に周回し、開口部３０において露出された帯鋸１５は前側から後側（図１において左側から右側）に向けて移動する。開口部３０における帯鋸１５の移動方向を示す矢印２７が前ハウジング部２１の上面に表示されている。以下の説明では、この矢印２７で示した方向を単に帯鋸１５の周回方向ともいう。なお、帯鋸切断機１０の前後方向については、この帯鋸１５の周回方向とは逆になる。周回する帯鋸１５は、押し当てられることにより切断材を切断する。
【００１５】
鋸車ハウジング２０の上部には、使用者が把持するハンドル部４０が設けられている。ハンドル部４０は、後ハウジング部２２の上部から結合ハウジング部２３との間に跨った状態に取り付けられている。ハンドル部４０は、使用者が一方の手で把持するメイングリップ部４１と、他方の手で把持するサブグリップ部４２とを有している。メイングリップ部４１は、開口部３０における切断部位（切断材に対する帯鋸１５の切り込み部位）よりも後側（帯鋸１５の周回方向前側）において、後ハウジング部２２の右側部から前方かつ上方へ山形に延びており、先端部側（前端部側）は下方へ下っている。
【００１６】
図１に示すようにメイングリップ部４１のハンドル軸線Ｊ４１（図１や図４参照）は、後側から前側に向けて上傾方向に傾斜している。メイングリップ部４１を把持した使用者はハンドル軸線Ｊ４１にほぼ直行する方向に押し付け力（切断材に対する帯鋸１５の切断力）を作用させる。使用者の手の押し付け力が作用する方向に、切断材に対する帯鋸１５の切り込み部位（切断部位）が位置するよう、メイングリップ部４１の位置及び向きが適切に設定されている。これにより、メイングリップ部４１を把持した使用者の手による押し付け力が切断部位に効率よく加わり、使用者の手首に掛る負担を低減しつつ楽な姿勢で切断作業を迅速に行うことができるようになっている。
【００１７】
メイングリップ部４１の先端部は、ハンドルベース４３に結合されている。メイングリップ部４１の下面側に、当該メイングリップ部４１を把持した手の指先で引き操作するスイッチレバー４４が設けられている。このスイッチレバー４４を指先で上方へ引き操作すると電動モータ１１が起動して帯鋸１５が周回することとなる。また、ハンドルベース４３は、結合ハウジング部２３の上面にねじ止めされている。このハンドルベース４３からさらに前方斜め上方に向けてサブグリップ部４２が延びている。一方の手でメイングリップ部４１を把持し、他方の手でこのサブグリップ部４２を把持することにより、当該帯鋸切断機１０を安定した姿勢に保持して切断作業を迅速かつ楽に行うことができる。
【００１８】
ハンドルベース４３の上面には、照明具４５が配置されている。この照明具４５によって、開口部３０に露出された帯鋸１５の切断材に対する切断部位周辺が明るく照らし出される。これにより、暗所等での切断作業の便宜が図られている。照明具４５にはＬＥＤ（発光ダイオード）が用いられている。この照明具４５も、電動モータ１１と同様に、バッテリパック１９を電源としている。また、図２等に示すように、ハンドルベース４３の右側部には、フック４６が取り付けられている。このフック４６によって、当該帯鋸切断機１０は、例えば作業現場の足場等に引っ掛けておくことができる。
【００１９】
メイングリップ部４１の後端部には、バッテリ取付け部４７が設けられている。このバッテリ取付け部４７にはバッテリパック１９が装着されている。このバッテリパック１９は、バッテリケース内に複数本のセルを収容したリチウムイオンバッテリで構成される。このバッテリパック１９は、スライド式にてバッテリ取付け部４７に着脱される。このバッテリパック１９は、充電が少なくなるとバッテリ取付け部４７から取り外されて別途用意した専用充電器にて充電される。バッテリ取付け部４７には、オートストップコントローラ（ＡＳコントローラ）４８が内装されている。このＡＳコントローラ４８により、バッテリパック１９の供給電流や残量等を含む電源供給状態が監視されており、これに異常が発生した場合には電源回路が遮断されて電動モータ１１が自動的に停止される（オートストップ機能）。
【００２０】
鋸車ハウジング２０には、一対の鋸車１３，１４を覆うカバー５０が設けられている。カバー５０は、前ハウジング部２１および後ハウジング部２２を覆うように設定されるカバー体５１を有する。カバー体５１は、前ハウジング部２１と対面する前カバー部５３と、後ハウジング部２２と対面する後カバー部５４と、前カバー部５３と後カバー部５４とを一体に連接する連接部５５とを有する。カバー体５１は、鋸車ハウジング２０に対して、上側縁となる結合側端縁５６がヒンジ結合されている。具体的には、カバー体５１の結合側端縁５６の前後のそれぞれには軸受部５７が設けられている。この軸受部５７には、支持軸３７が差し込まれている。この支持軸３７は、鋸車ハウジング２０の結合側端縁３５に設けられる軸支持部３６に支持されている。つまり、カバー体５１は、支持軸３７を回転軸として軸受部５７を含んで回転可能にされ、支持軸３７を介して鋸車ハウジング２０に支持されるものとなっている。
【００２１】
前カバー部５３と後カバー部５４とは、前後中間軸線Ｊ５０を対称軸にして前後で略対称な形状を有して形成される。連接部５５は、前カバー部５３と後カバー部５４とを一体に連接する。連接部５５は、開口部３０を設けるように結合側端縁３５を延在させて設定される。この連接部５５の開口部３０を設ける形状により、切断材に対する帯鋸１５の切り込み部位（切断部位）は設定される。ここで、前カバー部５３と後カバー部５４とは、前後中間軸線Ｊ５０を対称軸にして、前後で略対称な形状に設定される対向平面部６０と周囲傾斜部６５とを一体に有する。前後で略対称の形状となる対向平面部６０と周囲傾斜部６５とを説明するにあたっては、前カバー部５３を代表して説明する。
【００２２】
対向平面部６０は、鋸車１３（１４）に対面される平面形状を有する。対向平面部６０には、図４にて正面視した場合に周方向に沿って描かれる面条部６１が設けられている。面条部６１は、対向平面部６０よりも鋸車１３（１４）側に一段近づけられる段差形状を有する。これに対し、周囲傾斜部６５は、対向平面部６０の外周に設けられている。この周囲傾斜部６５は、外周端に向かうにしたがって鋸車ハウジング２０の外周に近づけられる傾斜面形状にて形成されている。
【００２３】
ところで、鋸車ハウジング２０とカバー体５１との間には、カバー５０の閉位置を保持する係止機構７０が設けられている。この係止機構７０は、対をなす前係止機構７１と後係止機構８１とを有する。前係止機構７１は前ハウジング部２１と前カバー部５３との間で設けられており、後係止機構８１は後ハウジング部２２と後カバー部５４との間で設けられている。これらの前係止機構７１と後係止機構８１とは、帯鋸１５の周回範囲より内周側に位置される鋸車ハウジング２０およびカバー体５１に設けられている。これらの前係止機構７１と後係止機構８１とも前後中間軸線Ｊ５０を対称軸にして前後で略対称な形状を有して形成される。このため、以下に前係止機構７１および後係止機構８１を説明するにあたっては、前係止機構７１を代表して説明し、後係止機構８１は前係止機構７１を説明する際に付する符号の後に括弧書きで符号を付加して説明を一部省略するものとする。
【００２４】
前係止機構７１（８１）は、前ハウジング部２１（２２）に設けられる雄部７２（８２）と、前カバー部５３（５４）に設けられる雌部７７（８７）とにより構成される。雄部７２（８２）は、帯鋸１５の周回範囲より内周側に位置される前ハウジング部２１（２２）に設けられている。詳しくは、雄部７２（８２）の位置としては、帯鋸１５の切り込み部位（切断部位）が配置される開口部３０と、この反対側となる結合ハウジング部２３との間に存する前ハウジング部２１（２２）に対して設けられている。また、雌部７７（８７）は、この雄部７２（８２）に対応するカバー体５１に雌孔７８（８８）を設定することにより形成される。
【００２５】
この雌孔７８（８８）は、前カバー部５３（５４）を正面視矩形で貫通させることにより形成される。ここで、この正面視矩形の雌孔７８（８８）の近接側端縁７８１（８８１）は、次に説明する対向フック部７５１（８５１）が係止する部分に設定されている。この近接側端縁７８１（８８１）の前カバー部５３（５４）内には、ガイドテーパ面７９（８９）が設けられている。このガイドテーパ面７９（８９）は、内に突き出されるにしたがい、更に近接する方向に傾斜している。なお、雄部７２（８２）を雌部７７（８７）に係止させるにあたって、このガイドテーパ面７９（８９）には、後に説明する対向テーパ面７５３（８５３）が当たるようになっている。
【００２６】
雄部７２（８２）は、雄部材７３（８３）を前ハウジング部２１（２２）のリブ部２１１（２２１）に螺子７６（８６）により螺子留めされることにより設けられている。雄部材７３（８３）は、ブラケット部材７４と係止部材７５とを一体に成形することにより形成されている。具体的には、ブラケット部材７４（８４）は、弾性変形可能な金属製の板ばねを側面視略Ｌ字形に成形することにより形成されている。ブラケット部材７４（８４）は、螺子７６（８６）により螺子留めされる取付板部７４１（８４１）と、この取付板部７４１（８４１）と直交する方向に延びる支持ばね部７４３（８４３）とを連接して形成されている。支持ばね部７４３（８４３）の外端には、樹脂製の係止部材７５（８５）が一体に設けられている。ここで、前係止機構７１のブラケット部材７４と、後係止機構８１のブラケット部材８４とは、側面視略Ｌ字形が互いに向き合う形で螺子留めされている。このため、互いのブラケット部材７４，８４の支持ばね部７４３，８４３は、前後方向で弾性揺動可能となっている。
【００２７】
係止部材７５（８５）は、次に説明する雌孔７８（８８）に係止されるフック形状を有して成形されている。具体的には、係止部材７５（８５）は、フック形状をなす対向フック部７５１（８５１）と、雄部７２（８２）を係止案内する対向テーパ面７５３（８５３）とを一体に成形されている。対向フック部７５１（８５１）は、前係止機構７１と後係止機構８１との双方が互いに向き合う方向で雌孔７８（８８）に係止するように設定されている。つまり、前係止機構７１の対向フック部７５１にあっては後側に向いて鉤型フック形状が設定されており、後係止機構８１の対向フック部８５１にあっては前側に向いて鉤型フック形状が設定されている。このため、それぞれの対向フック部７５１，８５１は、双方互いに向き合う方向で雌孔７８，８８に係止するようになっており、双方互いに離れる方向で雌孔７８，８８との係止が解除されるようになっている。
【００２８】
また、対向テーパ面７５３（８５３）も、対向フック部７５１（８５１）と同様、前係止機構７１と後係止機構８１との双方が互いに向き合うように設定されている。対向テーパ面７５３（８５３）は、基端部７５６（８５６）側に向かうにしたがって、前係止機構７１と後係止機構８１との双方が向き合う方向へ傾斜していくテーパ形状に設定されている。このため、雌部７７，８７に雄部７２，８２を係止させるにあたって雄部７２，８２の対向テーパ面７５３，８５３は雌部７７，８７のガイドテーパ面７９，８９に当てられることとなる。そうすると、ガイドテーパ面７９，８９は、対向テーパ面７５３，８５３の部材先端部７５５，８５５から基端部７５６，８５６へと摺接される。
【００２９】
この摺接に伴い、支持ばね部７４３，８４３は前後方向で弾性揺動することとなり、雄部７２，８２は双方互いに離れる方向に移動される。ここで、それぞれの対向フック部７５１，８５１が雌孔７８，８８内部に入ると、この雄部７２，８２の双方互いに離れる方向への移動は終わり、支持ばね部７４３，８４３の弾性復元力により対向フック部７５１，８５１は雌孔７８，８８の近接側端縁７８１，８８１に係止される。つまり、カバー５０の閉め状態が保持されることとなる。つまり、雄部材７３（８３）は、本発明に係る係止部に相当し、カバー５０が閉位置に配置された場合に、カバー５０の閉位置を保持するようにカバー５０側の近接側端縁７８１，８８１に係止される。
【００３０】
これに対し、対向フック部７５１，８５１が雌孔７８，８８に係止している場合に、この部材先端部７５５，８５５の双方を互いに離れる方向に移動させる操作をすると、雌孔７８，８８の近接側端縁７８１，８８１に対するそれぞれの対向フック部７５１，８５１の係止は解除されることとなる。そうすると、この雌孔７８，８８内部から対向フック部７５１，８５１を抜き出すことができて、カバー５０の閉め状態が解除される。これによって、使用者は、カバー５０を開けて開位置とすることができ、帯鋸１５の交換などの適宜調整を行うことができるようになる。つまり、部材先端部７５５，８５５は、本発明に係る解除操作部に相当し、係止部としての雄部材７３（８３）自体に設けられるものとなっている。
【００３１】
上記した帯鋸切断機１０によれば、カバー５０の閉位置を保持する係止機構７０が帯鋸１５の周回範囲より内側に設定されているので、帯鋸１５の周回範囲の外側には係止機構７０が存することが無くなる。これによって、帯鋸１５の周回範囲の外側の嵩張りを無くすことができながら係止機構７０を設けることができる。つまり、切断時の作業性が損ねられることなく、ヒンジ結合（図示符号３６，３７，５７）されるカバー５０の閉め状態を保持する係止機構７０を設けることができる。
【００３２】
また、上記した帯鋸切断機１０によれば、係止機構７０はカバー５０を開位置から閉位置へ移動させてカバー５０が閉位置になった時にカバー５０に自動的に係止されるので、カバー５０を閉めるだけでカバー５０の閉位置を保持することができるようになる。これによって、カバー５０の閉位置を保持するための係止操作を行うことなく、自動的にカバー５０の閉位置を保持することができて、閉位置を保持の操作性に優れたものとなる。また、上記した帯鋸切断機１０によれば、カバー５０の閉位置の保持を解除する部材先端部７５５，８５５がカバー５０側に係止される雄部材７３（８３）自体に設けられているので、部品点数を増やすことなく部材先端部７５５，８５５が設けられる。これによって、係止機構７０の嵩張りを抑えることができ、作業性に優れた帯鋸切断機１０とすることができる。
【００３３】
なお、本発明に係る帯鋸切断機にあっては、上記した実施の形態に限定されるものではなく、次のように適宜個所を変更して構成するようにしてもよい。すなわち、上記した実施の形態にあっては、係止機構の配設位置が帯鋸の周回範囲より内側に設定されていればよく、上記した実施の形態の配設位置に限定されるものではない。また、係止部を構成する雄部材７３，８３を含む雄部７２，８２および雌部７７，８７の構成としては上記した実施の形態に限定されることなく、適宜の係止構成を採用することができる。また、対向フック部７５１，８５１が係止する構成としては、互いに逆向きで係止するなどの適宜の対向構成等を採用することができる。ここで、このような係止構成を採用した場合には、解除操作部による解除操作方向は、係止方向に対して反対向きの方向とすればよく、製品の操作性に優れたものとすることができる。
【符号の説明】
【００３４】
１０  帯鋸切断機
１１  電動モータ
１３  鋸車（従動輪）
１４  鋸車（駆動輪）
１５  帯鋸
１９  バッテリパック
２０  鋸車ハウジング
２１  前ハウジング部
２１１  リブ部
２２  後ハウジング部
２２１  リブ部
２３  結合ハウジング部
２５  テンションレバー
２７  矢印
２８  上側端縁
２９  支持軸
３０  開口部
３１  第１案内部材
３２  第２案内部材
３５  結合側端縁
３６  軸支持部
３７  支持軸
４０  ハンドル部
４１  メイングリップ部
４２  サブグリップ部
４３  ハンドルベース
４４  スイッチレバー
４５  照明具
４６  フック
４７  バッテリ取付け部
４８  コントローラ
５０  カバー
５１  カバー体
５３  前カバー部
５４  後カバー部
５５  連接部
５６  結合側端縁
５７  軸受部
６０  対向平面部
６１  面条部
６５  周囲傾斜部
７０  係止機構
７１  前係止機構
８１  後係止機構
７２，８２  雄部
７３，８３  雄部材（係止部）
７４，８４  ブラケット部材
７４１，８４１  取付板部
７４３，８４３  支持ばね部
７５，８５  係止部材
７５１，８５１  対向フック部
７５３，８５３  対向テーパ面
７５５，８５５  部材先端部（解除操作部）
７５６，８５６  基端部
７６，８６  螺子
７７，８７  雌部
７８，８８  雌孔
７８１，８８１  近接側端縁
７９，８９  ガイドテーパ面
Ｊ４１  ハンドル軸線
Ｊ５０  前後中間軸線
【図１】
0006404138.tif 000002
【図２】
0006404138.tif 000003
【図３】
0006404138.tif 000004
【図４】
0006404138.tif 000005
【図５】
0006404138.tif 000006
【図６】
0006404138.tif 000007
【図７】
0006404138.tif 000008